(57)【要約】【課題】小型化および性能の向上を同時に実現した燃料電池を提供する。【解決手段】燃料極１１３、空気極１１６、および前記燃料極１１３と前記空気極１１６とに挟持された電解質膜１１７を有する膜電極接合体と、前記燃料極１１３に燃料を供給する燃料収容部と、前記空気極１１６の外側に配置された保湿板３と、前記膜電極接合体と前記保湿板３とを固定し、上面に空気導入口４０を有するカバープレート４と、を備える燃料電池であって、前記保湿板３の側面の一部が前記カバープレート４から露出していることを特徴とする燃料電池。【選択図】図３
2010176970.tif 000002
【特許請求の範囲】
【請求項１】
燃料極、空気極、および前記燃料極と前記空気極とに挟持された電解質膜を有する膜電極接合体と、
前記燃料極に燃料を供給する燃料供給部と、
前記空気極の外側に配置された保湿板と、
前記膜電極接合体と前記保湿板とを固定し、上面に空気導入口を有するカバープレートと、
を備える燃料電池であって、
前記保湿板の側面の一部が前記カバープレートから露出していることを特徴とする燃料電池。
【請求項２】
前記カバープレートは端部に爪部を有し、前記燃料供給部との間に前記保湿板を挟持した状態で前記膜電極接合体と前記保湿板の側面から前記爪部により前記燃料供給部にカシメ構造を形成することで、前記膜電極接合体と前記保湿板とを固定することを特徴とする請求項１に記載の燃料電池。
【請求項３】
前記保湿板の側面の露出面積が、前記保湿板の全ての露出面積の１０％以下となることを特徴とする請求項１に記載の燃料電池。
【請求項４】
前記保湿板の側面の露出面積が、前記保湿板の側面の面積の１０％以上９０％以下となることを特徴とする請求項１に記載の燃料電池。
【請求項５】
前記保湿板の側面の露出面積が、前記保湿板の側面の面積の３０％以上４０％以下となることを特徴とする請求項３に記載の燃料電池。
【請求項６】
前記燃料は、メタノールまたはメタノール水溶液であることを特徴とする、請求項１に記載の燃料電池。
【発明の詳細な説明】
【技術分野】
【０００１】
本発明は、液体燃料を用いた燃料電池に関する。
【背景技術】
【０００２】
ノートパソコンや携帯電話などのモバイル機器の電源として、小型の燃料電池の使用が注目されている。従来の二次電池では、充電のために一定時間コンセントにつなぐ必要があるが、燃料電池であれば供給用の燃料を補充するだけで使用可能となるため、モバイル機器の電源として非常に適している。
【０００３】
このようなモバイル機器向けの燃料電池としては、特に直接メタノール型燃料電池（Ｄｉｒｅｃｔ  Ｍｅｔｈａｎｏｌ  Ｆｕｅｌ  Ｃｅｌｌ：ＤＭＦＣ）が有望視されている。ＤＭＦＣの液体燃料の供給方式としては、内部気化型等のパッシブ方式のほか、ポンプやバルブにより燃料を循環供給して制御するアクティブ方式が存在する。モバイル機器の電源として燃料電池を実用化する場合、小型化および性能の向上を同時に実現することが重要である。
【０００４】
燃料電池における発電反応の速度は、幾つかの要因によって制限される。特に、発熱による制限、酸素供給による制限および水供給による制限の３つの影響が大きい。発電の反応は発熱反応であるため、燃料電池の温度が上昇するほど反応性が高まることが予想される。また、ＤＭＦＣでは発電反応のために酸素および水が消費されるため、効率のよい酸素および水の供給が必要となる。
【０００５】
特許文献１では、酸素を含む空気の取り入れのために、空気取り入れ層と、この空気取り入れ層に接する空気拡散層とを備えた燃料電池が開示されている。この燃料電池では、空気取り入れ層は空気拡散層の外側に設けられており、空気の取り込みは空気拡散層の上面のみから行われるよう設計されている。特許文献１による燃料電池では、空気取り入れ層が存在する分、燃料電池全体の薄型化が妨げられている。
【０００６】
従って、小型化および性能の向上を同時に実現した燃料電池の開発が必要である。
【特許文献１】特開２００７−８７９４２号公報
【発明の開示】
【発明が解決しようとする課題】
【０００７】
本発明は、小型化および性能の向上を同時に実現した燃料電池の提供を目的とする。
【課題を解決するための手段】
【０００８】
本発明の一態様によると、燃料極、空気極、および前記燃料極と前記空気極とに挟持された電解質膜を有する膜電極接合体と、前記燃料極に燃料を供給する燃料供給部と、前記空気極の外側に配置された保湿板と、前記膜電極接合体と前記保湿板とを固定し、上面に空気導入口を有するカバープレートと、を備える燃料電池であって、前記保湿板の側面の一部が前記カバープレートから露出していることを特徴とする燃料電池が提供される。
【発明の効果】
【０００９】
本発明によると、小型化および性能の向上を同時に実現した燃料電池が提供される。
【発明を実施するための最良の形態】
【００１０】
以下に、本発明による一実施形態について、図面を参照して説明する。図１は、本発明の一実施形態に係る燃料電池を概略的に示す断面図である。図１による燃料電池は、発電部１、燃料収容部２、保湿板３、カバープレート４、箱状容器５および燃料流路６を有する。
【００１１】
本発明による燃料電池は、図１に示される構成に限定されない。例えば、本願発明による燃料電池は、燃料収容部２からポンプ等を用いて送液するセミパッシブ方式と称される型の燃料電池に本発明を適用することができる。セミパッシブ型の燃料電池は、燃料収容部から膜電極接合体に供給された燃料は発電反応に使用され、その後に循環して燃料収容部に戻されることはない。セミパッシブ型の燃料電池は、燃料を循環しないことから、従来のアクティブ方式とは異なるものであり、装置の小型化等を損なうものではない。従来の内部気化型のような純パッシブ方式とも異なる。このため、燃料電池は、上述したようにセミパッシブ方式と呼称される。また、従来の内部気化型といった純パッシブ方式の燃料電池とすることも可能である。
【００１２】
図１において、発電部１は、燃料電池セル１１および燃料分配機構１２を有する。燃料電池セル１１は、アノード触媒層１１１とアノードガス拡散層１１２とを有するアノード（燃料極）１１３と、カソード触媒層１１４とカソードガス拡散層１１５とを有するカソード（空気極または酸化剤極）１１６と、アノード触媒層１１４とカソード触媒層１１５とで挟持されたプロトン（水素イオン）伝導性の電解質膜１１７とから構成される膜電極接合体（Ｍｅｍｂｒａｎｅ  Ｅｌｅｃｔｒｏｄｅ  Ａｓｓｅｍｂｌｙ：ＭＥＡ）を有する。
【００１３】
アノード触媒層１１１およびカソード触媒層１１４に含有される触媒としては、例えばＰｔ、Ｒｕ、Ｒｈ、Ｉｒ、Ｏｓ、Ｐｄ等白金族元素の単体、およびこれら白金族元素を含有する合金等が挙げられる。アノード触媒層１１１には、メタノールおよび一酸化炭素等に対して強い耐性を有するＰｔ−Ｒｕ合金またはＰｔ−Ｍｏ合金等を用いることが好ましい。カソード触媒層１１４には、ＰｔまたはＰｔ−Ｎｉ合金等を用いることが好ましい。しかしながら、アノード触媒層１１１およびカソード触媒層１１４としては、これらの触媒に限定されず、触媒活性を有する各種の物質を使用することができる。触媒は、炭素材料のような導電性担持体を使用した担持触媒、または無担持触媒を用いてもよい。
【００１４】
電解質膜１１７を構成するプロトン伝導性材料としては、例えばスルホン酸基を有するパーフルオロスルホン酸重合体といったフッ素系樹脂（商品名ナフィオン（デュポン社製）または商品名フレミオン（旭硝子社製）等）またはスルホン酸基を有する炭化水素系樹脂等の有機系材料、あるいはタングステン酸またはリンタングステン酸等の無機系材料が使用される。しかしながら、電解質膜１１７の材料は、これらに限定されるわけではない。
【００１５】
アノードガス拡散層１１２は、アノード触媒層１１１に燃料を均一に供給するとともに、アノード触媒層１１１の集電体としての役割を果たす。また、カソードガス拡散層１１５は、カソード触媒層１１４に酸化剤を均一に供給するとともに、カソード触媒層１１４の集電体としての役割を果たす。アノードガス拡散層１１２およびカソードガス拡散層１１５は多孔質基材で構成される。
【００１６】
必要に応じてアノードガス拡散層１１２およびカソードガス拡散層１１５に導電層が積層される（図１には図示せず）。この導電層としては、例えばＡｕ、Ｎｉのような導電性金属材料から成る多孔質体（例えばメッシュ）、箔体、または薄膜、あるいはステンレス鋼（ＳＵＳ）などの導電性金属材料に金などの良導電性金属を被覆した複合材等が用いられる。また、電解質膜１１７と燃料分配機構１２との間、および保湿板３と電解質膜１１７との間には、それぞれゴム製のＯリング１１９が挟持されており、これらが発電部１からの燃料漏れおよび酸化剤漏れを防止している。また、燃料漏れおよび酸化剤漏れを抑えることができれば、図２に示されるようにOリング１１９を含まない構成にすることもできる。
【００１７】
燃料供給部としての燃料分配機構１２は、燃料電池セル１１のアノード（燃料極）１１３側に設けられる。燃料分配機構１２は、燃料流路６を介して燃料収容部２と接続されている。この燃料流路６を介して、燃料収容部２から液体燃料が燃料分配機構１２に供給される。この燃料流路６は、燃料分配機構１２と燃料収容部２とを積層して一体化する場合、これらを繋ぐ燃料流路６であってよく、また、燃料分配機構１２が燃料流路６を介して燃料収容部２と接続されていれば、その他の構造をとることができる。
【００１８】
なお、図１においては、燃料分配機構１２を含む発電部１を収容する箱状容器５も含めて本発明でいう燃料供給部と称している。
【００１９】
燃料分配機構１２は、図１に示すように、液体燃料が流入する少なくとも１個の燃料注入口１２１と、液体燃料やその気化成分を燃料電池セル１１に排出する複数個の燃料排出口１２２とを有する燃料分配板１２３を備えている。燃料分配板１２３の内部には、図１に示すように、燃料注入口１２１から導かれた液体燃料の通路となる細管１２４が設けられている。細管１２４は、例えば内径が０．０５〜５ｍｍの貫通孔であることが好ましい。複数の燃料排出口１２２は、燃料通路として機能する細管１２４にそれぞれ直接接続されている。燃料注入口１２１から燃料分配機構１２に導入された液体燃料は細管１２４に入り、燃料通路として機能する細管１２４を介して複数の燃料排出口１２２にそれぞれ導かれる。複数の燃料排出口１２２には、例えば液体燃料の気化成分のみを透過し、液体成分は透過させない気体分離体（図示せず）を配置してもよい。これによって、燃料電池セル１１のアノード（燃料極）１１３には液体燃料の気化成分のみが供給される。なお、気液分離体は燃料分配機構１２とアノード１１３との間に気液分離膜等として設置してもよい。液体燃料の気化成分は複数の燃料排出口１２２からアノード１１３の複数箇所に向けて排出される。
【００２０】
さらに、燃料分配機構１２とアノード（燃料極）１１３との間には、多孔体１２０を挿入することが有効である。多孔体１２０の構成材料としては各種樹脂が使用され、多孔質の樹脂フィルム等が多孔体１２０として用いられる。このような多孔体１２０を配置することにより、燃料極１１３に対する燃料供給をより平均化することができる。すなわち、燃料分配機構１２の燃料排出口１２２から噴出した液体燃料は一旦多孔体１２０に吸収され、多孔体１２０の内部で面内方向に拡散する。この後、多孔体１２０から燃料極１１３に燃料が供給されるため、燃料供給をより平均化することができる。
【００２１】
燃料分配機構１２から放出された燃料は、上述したように燃料電池セル１１のアノード（燃料極）１１３に供給される。燃料電池セル１１内において、燃料はアノードガス拡散層１１２にて拡散されアノード触媒層１１１に供給される。液体燃料としてメタノール燃料を用いた場合、アノード触媒層１１１で下記の式（１）に示されるメタノールの内部改質反応が生じる。  
ＣＨ３ＯＨ＋Ｈ２Ｏ  →  ＣＯ２＋６Ｈ＋＋６ｅ−  …（１）。
【００２２】
なお、純メタノールを使用した場合には、カソード触媒層１１４で生成される水および／または電解質膜１１７中の水をメタノールと反応させて式（１）の内部改質反応を生起させる。あるいは、水を必要としない他の反応機構により内部改質反応を生じさせる。
【００２３】
この反応で生成される電子（ｅ−）は集電体を経由して外部に導かれ、いわゆる電気として携帯用電子機器等を動作させた後、カソード（空気極）１１６に導かれる。また、式（１）の内部改質反応で生成したプロトン（Ｈ＋）は電解質膜１１７を経てカソード１１６に導かれる。カソード１１６には酸化剤として空気が供給される。カソード１１６に到達した電子（ｅ−）とプロトン（Ｈ＋）は、カソード触媒層１１４で空気中の酸素と下記の式（２）に従って反応し、この反応に伴って水が生成する。  
６ｅ−＋６Ｈ＋＋（３／２）Ｏ２  →  ３Ｈ２Ｏ  …（２）。
【００２４】
燃料収容部２は、燃料電池セル１１に対応した液体燃料が収容されている。燃料収容部２は、タンクの形態であって、外部から液体燃料を補給できるものであってよく、または、カートリッジの形態であって、燃料供給部２自体を、燃料が既に充填されたものへと交換できるものであってよい。燃料供給部２は、公知のものを使用することができる。燃料収容部２の素材としては、耐メタノール性を有する素材を使用することが好ましい。例えば、ＰＰＳ（ポリフェニレンサルファイド）、ＣＯＣ（シクロオレフィンコポリマー）または燃料への金属イオンの溶出を防止するために表面処理などで対策しておけば金属材料を素材として使用することができる。特に、ＰＰＳを用いることが好ましい。
【００２５】
液体燃料としては、上記のように各種濃度のメタノール水溶液または純メタノール等のメタノール燃料を使用できる。しかしながら、その他の燃料を使用することも可能であり、例えば、エタノール水溶液または純エタノール等のエタノール燃料、プロパノール水溶液または純プロパノール等のプロパノール燃料、グリコール水溶液または純グリコール等のグリコール燃料、ジメチルエーテル、ギ酸、その他の燃料を使用することができる。いずれにしても、燃料収容部２には、燃料電池セル１１に対応した液体燃料が収容される。
【００２６】
また、図１に示されていないものの、燃料流路６に、燃料収容部２の液体燃料を発電部１へ送るためのポンプ、さらには燃料の供給を遮断するための遮断バルブ等を設けることができる。なお、このセミパッシブ型の燃料電池では、燃料収容部２から発電部１への燃料供給が行われる構成であればポンプに代えて遮断バルブのみを配置する構成とすることも可能である。この場合には、燃料遮断バルブは、流路による液体燃料の供給を制御するために設けられるものである。
【００２７】
図１に示されるように、発電部１は、箱状容器５に収容され、保湿板３が積層され、その上からカバープレート４によって固定される。
【００２８】
図３等に示す（図１では図示せず）ように、カバープレート４は上面に空気導入口４０が設けられ、その端部に爪部４１および切欠部４２を有しており、カシメ構造を形成することで箱状容器５に固定されている。ここでいうカシメ構造とは、爪部４１が、箱状容器５のフランジ部５１（図３）または箱状容器５の底面（図４）に向けて折り曲げられた構造のことをいう。図５は、本発明による燃料電池の１例の分解斜視図である。この図によれば、箱状容器５に発電部１（図示せず）が収められた後、保湿板３が上から置かれ、カバープレート４が被せられる。その後、爪部４１がフランジ部５１の下面に向けて折り曲げられ、発電部１および保湿板３とともに、カバープレート４が箱状容器５に固定される。カバープレート４は、ステンレス鋼（ＳＵＳ）、またはアルミニウム合金等を素材としたものを使用することができ、特に、ＳＵＳを素材としたカバープレート４を使用することが好ましい。爪部４１および切欠部４２の構造は、好ましくはカバープレート４の向かい合う２つの端部に設けられるが、カバープレート４の４つ全ての端部に設けることも可能である。
【００２９】
保湿板３は、図１に示されるように、カソード１１６と接触する形で設けられている。保湿板３とは、カソード触媒層１１４で生成された水の一部が含浸されて、水の蒸散を抑制すると共に、カソード触媒層１１４への空気の均一拡散を促進するものである。本発明では、カソード１１６と接触する面を保湿板３の下面と呼び、下面と反対の面を上面と呼び、ならびに、下面および上面以外の４つのそれぞれの面を側面と呼ぶこととする。保湿板３は、発泡ポリエチレン、または発泡ポリオレフィン等を素材とするものを使用することが好ましく、特に発泡ポリエチレンを素材とするもの（サンマップＬＣ、日東電工株式会社）が使用される。
【００３０】
本発明による燃料電池では、保湿板３の側面の一部が外部に露出している。具体的には、図３および図４に示されるように、保湿板３の側面のうちカバープレート４の爪部４１に接する部分は露出しないが、切欠部４２に対応する部分において外部に露出する。このとき、保湿板３の側面の露出面積が、保湿板３の上面および側面の両方を合わせた露出面積の１０％以下となることが好ましい。また、保湿板３の側面の露出面積が、保湿板３の側面の全面積（露出部分および非露出部分の両方を合わせた面積）の１０％以上９０％以下となることが好ましく、さらには３０％以上４０％以下となることがより好ましい。本発明のように、側面の一部が露出する構成とすることにより、カソードへの空気（酸素）供給を向上できる。
【００３１】
側面における露出面積の調整は、保湿板３の厚さおよび／または切欠部４２の広さを変更することで適宜調整することができる。保湿板３における吸気と保湿性との間のバランス、および、燃料電池全体の薄型化を考慮して、これらのサイズを設定することが好ましい。
【００３２】
本発明による燃料電池では、保湿板３の側面の一部が外部に露出しているので従来の燃料電池と比較して保湿板３への空気または酸素の供給量が増大する。そのため、従来の燃料電池よりも高い出力を実現できる。また、本発明の構成は、従来の燃料電池に新たな機構の層を付加することなく実現できるため、燃料電池全体の厚さを維持しつつ出力を向上させることが可能である。
【実施例】
【００３３】
以下に、実施例に基づいて本発明の効果を説明する。
【００３４】
本発明による燃料電池および従来の燃料電池を用意し、以下に記載する実験を行った。
【００３５】
[使用した燃料電池]
比較例１として、図６（ａ）に示すように保湿板の側面の露出が存在しない従来構造の燃料電池を用意した。保湿板は１．０ｍｍ厚のものを使用し、ＳＵＳ製のカバープレートにて固定した。カバープレートは、従来のカシメ構造のものを用いた。
【００３６】
比較例２として、図６（ａ）に示すように保湿板の側面の露出が存在しない従来構造の燃料電池を用意した。保湿板を１．５ｍｍ厚のものを使用した以外は、比較例１と同様の構成とした。
【００３７】
実施例１として、図６（ｂ）に示すように保湿板３の側面が切欠部４２から外部に露出する本発明による燃料電池を用意した。保湿板は１．０ｍｍ厚のものを使用し、ＳＵＳ製のカバープレートにて固定した。カバープレート４の切欠部４２の高さＡは１．０ｍｍ、幅Ｂは２．５ｍｍおよび爪部４１の幅Ｃは２．５ｍｍであった。切欠部４２から外部に露出する保湿板３の側面の露出面積は、保湿板３の側面の面積の３７．５％であった。保湿板の側面の露出面積は保湿板の全ての露出面積の２．０％であった。
【００３８】
実施例２として、図６（ｂ）に示すように保湿板３の側面が切欠部４２から外部に露出する本発明による燃料電池を用意した。保湿板を１．５ｍｍ厚のものを使用し、ＳＵＳ製のカバープレートにて固定した。カバープレート４の切欠部４２の高さＡは１．５ｍｍ、幅Ｂは２．５ｍｍおよび爪部４１の幅Ｃは２．５ｍｍであった。切欠部４２から外部に露出する保湿板３の側面の露出面積は、保湿板３の側面の面積の３７．５％であった。保湿板の側面の露出面積は保湿板の全ての露出面積の４．０％であった。
【００３９】
これら４種の燃料電池において、カソード面の中央部分の温度を測定するため、カバープレートと保湿板との間に温度センサーを設けた。
【００４０】
[実験１]
上記４つの燃料電池を作動させ、その出力を比較した。カソード面の温度を５５℃付近に維持し、６０時間連続運転させたときの最後の２時間の平均出力（ｍＷ／ｃｍ２）を測定した。
【００４１】
その結果を以下に示す。なお、以下の値は、それぞれの比較例を１００とした場合の相対比（％）で表わしている。、
・比較例１（１．０ｍｍ）：１００％
・実施例１（１．０ｍｍ）：１２５％
・比較例２（１．５ｍｍ）：１００％
・実施例２（１．５ｍｍ）：１１３％
となった。
【００４２】
この結果から、従来の燃料電池に比べて、本発明による燃料電池においてより高い出力を得ることができることがわかった。また、この実験条件の下では、保湿板の厚さが厚いほうが高い出力を得られる傾向があった。
【００４３】
[実験２]
上記の４種の燃料電池を、様々なメタノール流量の下で作動させ、そのときのカソードの中央付近の温度を測定した。シリンジポンプを用いて、メタノール燃料を発電部に特定の量で供給した。横軸をメタノール流量、縦軸を中央温度として、測定値をグラフにプロットし、４種の燃料電池の温度応答性を検討した（図７）。
【００４４】
図７は、それぞれ２個の燃料電池において測定し、それらの測定値の中央値をプロットしたものである。また最小二乗法によって傾きを求めて直線を引いた。
【００４５】
何れの燃料電池においても、メタノール流量の増加とともに中央温度が上昇するものの、ある一定の量を超えると中央温度の上昇が止まる傾向があった。メタノール流量が飽和状態となったときの最高温度は、高い方から順に、実施例１、比較例１、実施例２、比較例２となった。また、メタノール流量が飽和状態となったときのメタノール流量も、高い方から順に、実施例１、比較例１、実施例２、比較例２となった。
【００４６】
最高温度が高いほど発電量が高いと考えられ、また、飽和時のメタノール流量が高いほど、その量に応じた酸素が供給され発電反応に使用されたことが予想される。従って、酸素供給量は、実施例１、比較例１、実施例２、比較例２の順に高いと考えられる。実施例２および比較例２は、その他と比較して酸素供給量が低いという結果となった。これは、実施例２および比較例２の燃料電池ではより厚い保湿板を使用しており、保湿性は高まる一方で、カソードへの酸素の到達量がより低かったと考えられる。
【００４７】
燃料電池全体の厚さも考慮すると、実施例１による燃料電池が最も優れていると考えられる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４９】
また、膜電極接合体へ供給される液体燃料の蒸気においても、全て液体燃料の蒸気を供給してもよいが、一部が液体状態で供給される場合であっても本発明を適用することができる。
【図面の簡単な説明】
【００５０】
【図１】本発明の一実施形態に係る、燃料電池の構成を示す断面図。
【図２】本発明の一実施形態に係る、燃料電池の構成を示す断面図。
【図３】本発明の一実施形態に係る、燃料電池の構成を示す断面斜視図。
【図４】本発明の一実施形態に係る、燃料電池の構成を示す断面斜視図。
【図５】本発明の一実施形態に係る、燃料電池の分解断面斜視図。
【図６】本発明の一実施形態に係る燃料電池および従来の燃料電池の側面図。
【図７】本発明の一実施形態に係る燃料電池の効果を示す図。
【符号の説明】
【００５１】
１…発電部、１１…燃料電池セル、１１１…アノード触媒層、１１２…アノードガス拡散層、１１３…アノード（燃料極）、１１４…カソード触媒層、１１５…カソードガス拡散層、１１６…カソード（空気極または酸化剤極）、１１７…電解質膜、１１９…Ｏリング、１２０…多孔体、１２１…燃料注入口、１２２…燃料排出口、１２３…燃料分配板、１２４…細管、２…燃料収容部、３…保湿板、４…カバープレート、４０…空気導入口、４１…爪部、４２…切欠部、５…箱状容器、５１…フランジ部、６…燃料流路。
【図１】
2010176970.tif 000003
【図２】
2010176970.tif 000004
【図３】
2010176970.tif 000005
【図４】
2010176970.tif 000006
【図５】
2010176970.tif 000007
【図６】
2010176970.tif 000008
【図７】
2010176970.tif 000009